(57)【要約】【課題】      出射光の輝度が高く、適正な配光分布をもつ高効率の導光板と、そのような導光板を用いて高輝度化が実現された面型照明装置とを提供する。【解決手段】  楔状凹シボ20が入光面12aに直交する方向に２００μｍ以下のピッチで連続して設けられているので、非出光面12dに対して臨界角度より大きな角度で光が入射されたとしても、この光を出光面12cに対して略垂直に入射するように反射させることができる。また、楔状凹シボ20により出光面12cに対して略垂直に入射するように反射された光は、レンチキュラーレンズ部22を透過する際に回帰することなく出光面12cから照射される。したがって、出射光の輝度が高く、適正な配光分布をもつ高効率の導光板12と、そのような導光板を用いて高輝度化が実現された面型照明装置10を提供することができる。【選択図】    図１
2006040710.tif 000002
【特許請求の範囲】
【請求項１】
入光面と、前記入光面に対して直交する出光面と、前記出光面に対向し且つ前記入光面から離間するに従って前記出光面に近接する非出光面とを備え、前記入光面より入射した光を前記出光面から面状に出射する楔形の導光板であって、
前記非出光面には、前記入光面に沿う方向に延びる斜面を有する楔状凹シボが前記入光面に直交する方向に２００μｍ以下のピッチで連続して設けられると共に、
前記出光面には、前記入光面に直交する方向に複数本の平行な母線が延びる断面円弧状のレンチキュラーレンズ部が設けられていることを特徴とする導光板。
【請求項２】
前記楔状凹シボの前記入光面に沿う方向の幅が、前記入光面から離間するに従って漸増することを特徴とする請求項１に記載の導光板。
【請求項３】
前記楔状凹シボの複数個を１群のドットとし、前記ドットが前記導光板の非出光面における所定の位置に局在していることを特徴とする請求項１に記載の導光板。
【請求項４】
入光面と、前記入光面に対して直交する出光面と、前記出光面に対向し且つ前記入光面から離間するに従って前記出光面に近接する非出光面とを備え、前記非出光面には、前記入光面に沿う方向に延びる斜面を有する楔状凹シボが前記入光面に直交する方向に２００μｍ以下のピッチで連続して設けられると共に、前記出光面には、前記入光面に直交する方向に複数本の平行な母線が延びる断面円弧状のレンチキュラーレンズ部が設けられた導光板、
前記入光面に沿って配置される光源、
前記光源からの光を前記入光面に反射するリフレクタ、および
前記非出光面に沿って配置されて前記導光板から漏れ出た光を前記導光板側へ反射する反射板を具備することを特徴とする面型照明装置。
【請求項５】
前記楔状凹シボの前記入光面に沿う方向の幅が前記入光面から離間するに従って漸増することを特徴とする請求項４に記載の面型照明装置。
【請求項６】
前記楔状凹シボの複数個を１群のドットとし、前記ドットが前記導光板の非出光面における所定の位置に局在していることを特徴とする請求項４に記載の面型照明装置。
【請求項７】
前記出光面に沿って配置され、前記レンチキュラーレンズ部で集光された光の指向性を緩和する光拡散シートを更に備える、請求項４乃至６のいずれかに記載の面型照明装置。
【発明の詳細な説明】
【技術分野】
【０００１】
本発明は、液晶表示パネルのバックライトに用いられる導光板とこの導光板を用いた面型照明装置に関する。
【背景技術】
【０００２】
液晶表示パネルの大画面化や省エネルギー化に伴い、液晶表示パネルのバックライトとして使用される面型照明装置には高輝度が要求されるようになってきた。そこで、かかる要求に応じるべく、導光板の出光面側に集光効果を有するプリズムシートを１枚または複数枚取着し、当該出光面から出射される光を視認方向に偏った配向分布となるよう調整することによって面型照明装置の輝度を向上させていた。
【０００３】
しかしながら、プリズムシートを用いることにより部品点数が増え、組立工程も複雑になることから、効率的に面型照明装置を製造するのが困難になるという問題があった。また、このプリズムシートは高価なものであることから、経済的に面型照明装置を提供することができないという問題もあった。
【０００４】
このような問題点を解決し得る技術として、例えば図８に示すようなプリズムシートレス導光板が提案されている（例えば、特許文献１参照。）。
【０００５】
図８を参照して、このプリズムシートレス導光板(1)は、光源(2)からの光が入光する入光面(3)と、入光面(3)に対して直交する出光面(4)と、出光面(4)に平行に対面する底面(5)とを備え、底面(5)には入光面(3)に沿う方向に延びる複数の楔状反射溝(6a)と、前記楔状反射溝(6a)が形成されないように、その楔状反射溝(6a)が延びる方向と交差する方向に延びて当該楔状反射溝(6a)を分断する帯状の分断平坦部(6b)と、隣接する楔状反射溝(6a)を離間させる溝間平坦部(6c)とを有する反射プリズム(6)が設けられると共に、出光面(4)には、入光面(3)に直交する方向にその複数本の平行な稜線(7a)が延びるプリズム状凹凸部を有する集光プリズム(7)が設けられたものである。なお、底面(5)には底面(5)から漏れ出た光を出光面(4)に向けて照射するための反射板(8)が取付けられている。
【０００６】
このプリズムシートレス導光板(1)によれば、光源(2)からの光が入光面(3)から導光板(1)内に入射され、反射プリズム(6)によって出光面(4)へと反射される。そして、反射プリズム(6)によって反射された光が出光面(4)から出射される際、集光プリズム(7)によって視認方向に偏った配向分布となるよう調整されるので、プリズムシートを用いなくとも適正な配光分布をもつ光を出射させることができる。
【特許文献１】特開２０００−３０５０７３号公報
【発明の開示】
【発明が解決しようとする課題】
【０００７】
しかしながら、上述した従来のプリズムシートレス導光板(1)では、底面(5)の溝間平坦部(6c)に対して臨界角度(導光板(1)がアクリル製の場合、概ね４２.１°)より大きな角度(α)で光が入射した場合、この光は、図８(a)に示すように、溝間平坦部(6c)で全反射した後、反射プリズム(6)の斜面で再び全反射して出光面(4)から導光板(1)の外へと出射するが、その出射角度が出光面(4)に沿うように屈折される。つまり、出光面(4)から出光される光は、視野角が大きくなるものの出光面(4)正面では輝度が低く暗いものとなる。
【０００８】
また、図８(b)に示すように反射プリズム(6)によって出光面(4)に対して略垂直に全反射した光のうち、集光プリズム(7)の斜面に達した光は底面(5)側へと回帰する。この底面(5)側へ回帰した光は反射板(8)によって再び出光面(4)に向けて照射されるが、このような回帰を繰り返すことによって光が若干減衰するようになる。
【０００９】
このように、従来のプリズムシートレス導光板(1)では、光源(2)から入射された光の全量を有効に利用することが困難であり、出光面(4)から出光される光の輝度が低くなると言う問題があった。
【００１０】
それゆえに、本発明の主たる課題は、出射光の輝度が高く、適正な配光分布をもつ高効率の導光板と、そのような導光板を用いて高輝度化が実現された面型照明装置を提供することである。
【課題を解決するための手段】
【００１１】
請求項１に記載した発明は、「入光面(12a)と、入光面(12a)に対して直交する出光面(12c)と、出光面(12c)に対向し且つ入光面(12a)から離間するに従って出光面(12c)に近接する非出光面(12d)とを備え、入光面(12a)より入射した光を出光面(12c)から面状に出射する楔形の導光板(12)であって、非出光面(12d)には、入光面(12a)に沿う方向に延びる斜面(20a)を有する楔状凹シボ(20)が入光面(12a)に直交する方向に２００μｍ以下のピッチで連続して設けられると共に、出光面(12c)には、入光面(12a)に直交する方向に複数本の平行な母線が延びる断面円弧状のレンチキュラーレンズ部(22)が設けられている」ことを特徴とする。
【００１２】
入光面(12a)より導光板(12)内部に入射された光のうち、非出光面(12d)に向かった光は楔状凹シボ(20)によって出光面(12c)へと反射される。ここで、本発明の導光板(12)では、楔状凹シボ(20)が入光面(12a)に直交する方向に２００μｍ以下のピッチで連続して設けられているので、非出光面(12d)に対して臨界角度(導光板(1)がアクリル製の場合は４２.１°)より大きな角度で光が入射されたとしても、この光は楔状凹シボ(20)を透過した後、隣接する楔状凹シボ(20)の斜面(20a)により出光面(12c)に対して略垂直に入射するように反射される。したがって、非出光面(12d)側で反射した光が出光面(12c)から出光する際に、出光面(12c)に沿うように屈折して出光面(4)正面の輝度が低下するのを防止することができる。
【００１３】
また、出光面(12c)より照射される光は、断面が円弧状に形成されたレンチキュラーレンズ部(22)の集光効果によって、出光面(12c)正面の視認方向に偏った配光分布となるよう調整されるが、この時、楔状凹シボ(20)によって出光面(12c)に対して略垂直に入射するように反射された光がレンチキュラーレンズ部(22)によって回帰することなく出光面(12c)から照射される。したがって、楔状凹シボ(20)により出光面(12c)に対して略垂直となるように反射された光が導光板(12)内で回帰を繰り返すことによって減衰するのを防止することができる。
【００１４】
請求項２に記載した発明は、請求項１に記載の導光板(12)において、「楔状凹シボ(20)の入光面(12a)に沿う方向の幅が、入光面(12a)から離間するに従って漸増する」ことを特徴とするもので、これにより、入光面(12a)からの距離にかかわらず出光面(12c)全体にて均一の輝度で光を出光させることができる。
【００１５】
請求項３に記載した発明は、請求項１に記載の導光板(12)において、「楔状凹シボ(20)の複数個を１群のドットとし、前記ドットが導光板(12)の非出光面(12d)における所定の位置に局在している」ことを特徴とするもので、これにより、導光板(12)の入光側から反入光側に至るまでの楔状凹シボ(20)グラデーションパターンの設計自由度を向上させることができ、導光距離が長い大型の導光板(12)でも均斉度の高い面状の光を出光させることができる。
【００１６】
請求項４に記載した発明は、請求項１に記載の導光板(12)を用いた面型照明装置(10)であって、「入光面(12a)と、入光面(12a)に対して直交する出光面(12c)と、出光面(12c)に対向し且つ入光面(12a)から離間するに従って出光面(12c)に近接する非出光面(12d)とを備え、非出光面(12d)には、入光面(12a)に沿う方向に延びる斜面(20a)を有する楔状凹シボ(20)が入光面(12a)に直交する方向に２００μｍ以下のピッチで連続して設けられると共に、出光面(12c)には、入光面(12a)に直交する方向に複数本の平行な母線が延びる断面円弧状のレンチキュラーレンズ部(22)が設けられた導光板(12)、入光面(12a)に沿って配置される光源(14)、光源(14)からの光を入光面(12a)に反射するリフレクタ(16)、および非出光面(12d)に沿って配置されて導光板(12)から漏れ出た光を導光板(12)側へ反射する反射板(18)を具備する」ことを特徴とする。また、請求項５に記載した発明は、請求項４に記載の面型照明装置(10)において、「楔状凹シボ(20)の入光面(12a)に沿う方向の幅が入光面(12a)から離間するに従って漸増する」ことを特徴とする。さらに、請求項６に記載した発明は、請求項４に記載の面型照明装置(10)において、「楔状凹シボ(20)の複数個を１群のドットとし、前記ドットが導光板(12)の非出光面(12d)における所定の位置に局在している」ことを特徴とする。
【００１７】
請求項１乃至３に記載の導光板(12)を用いるこれらの発明では、同じ光源(14)を用いた場合、従来のものに比べてより高い輝度の光を照射することができる。
【００１８】
請求項７に記載した面型照明装置(11)は、請求項４乃至６に記載の面型照明装置(10)において、「出光面(12c)に沿って配置され、レンチキュラーレンズ部(22)で集光された光の指向性を緩和する光拡散シート(26)を更に備える」ことを特徴とするもので、これにより、レンチキュラーレンズ部(22)によって集光された光の指向性が緩和され、面型照明装置(11)から照射される光の外観、品位を高めることができる。
【発明の効果】
【００１９】
本発明によれば、楔状凹シボが入光面に直交する方向に２００μｍ以下のピッチで連続して設けられているので、非出光面に対して臨界角度より大きな角度で光が入射されたとしても、この光を出光面に対して略垂直に入射するように反射させることができる。
【００２０】
また、楔状凹シボにより出光面に対して略垂直に入射するように反射された光は、レンチキュラーレンズ部を透過する際に回帰することなく(即ち、減衰することなく)出光面から照射される。
【００２１】
したがって、高価で取着するのに手間がかかるプリズムシートを用いることなく、出射光の輝度が高く、適正な配光分布をもつ高効率の導光板と、そのような導光板を用いて高輝度化が実現された面型照明装置とを提供することができる。
【発明を実施するための最良の形態】
【００２２】
図１乃至図５に示すこの発明の一実施例(第１実施例)の面型照明装置(10)は、ＴＶ受像機やコンピュータディスプレイなどの液晶表示パネル(図示せず)を背面から照射するバックライトとして用いられるものであり、大略、導光板(12)，光源(14)，リフレクタ(16) および反射板(18)などで構成されている。
【００２３】
導光板(12)は、例えばアクリル(ＰＭＭＡ樹脂)のような複屈折の小さい透光樹脂を射出成形法などにより断面楔形に形成した板状部材である。この導光板(12)の幅広端面には入光面(12a)が形成され、反対側の幅狭端面には反射側端面(12b)が形成されると共に、上面(図１における上面を意味する。以下、同じ。)には出光面(12c)が形成され、下面(図１における下面を意味する。以下、同じ。)には非出光面(12d)が形成されている。
【００２４】
また、非出光面(12d)には全面に亘って複数の楔状凹シボ(20)が形成されると共に、出光面(12c)にはレンチキュラーレンズ部(22)が形成されている。
【００２５】
楔状凹シボ(20)は、非出光面(12d)に向けて導波した光を出光面(12c)方向に効率よく方向転角させるためのものであり、入光面(12a)に沿う方向に延ばされ入光面(12a)側の斜面(20a)、入光面(12a)側の斜面(20a)の頂部に連接する反射側端面(12b)側の対向斜面(20b)、およびこれら各斜面(20a)(20b)の端部に設けられた一対の端面(20c)で構成されている(図１参照)。
【００２６】
ここで、入光面(12a)側の斜面(20a)は、非出光面(12d)に対する傾斜角θ1が４０〜５０°となるように形成されており(図３参照)、当該斜面(20a)に対して臨界角度(導光板(12)がアクリル製の場合、概ね４２.１°)より大きな角度で入射した光を出光面(12c)に向けて全反射するように設定されている。一方、反射側端面(12b)側の対向斜面(20b)は、非出光面(12d)に対する傾斜角θ2が９０〜４０°、好ましくは９０〜６０°となるように形成されており(図３参照)、斜面(20a)に対して臨界角度より小さな角度で入射して斜面(20a)を透過した光のうち対向斜面(20b)に入射される光を隣接した楔状凹シボ(20)の入光面(12a)側の斜面(20a)に対して臨界角度より大きな角度で入射するように設定されている。
【００２７】
なお、入光面(12a)側の斜面(20a)を透過して対向斜面(20b)に入射する光の量を増やすには、前記傾斜角θ2が９０°以上であることが好ましいが、かかる角度では射出成形で導光板を製造する際に金型からの離型性が悪くなり、また、対向斜面(20b)に入射した光の導光方向の指向性が強く、視野角が狭くなりすぎて問題となる可能性がある。したがって、傾斜角θ2は、上記範囲(９０〜４０°)であるのが好ましい。
【００２８】
また、一対の端面(20c)もそれぞれの頂部が斜面(20a)と対向斜面(20b)との接線に対して９５〜１５０°の傾きで接するように形成されている。これにより、導光板(12)内を導波する光が入光面(12a)(或いは反射側端面(12b))に沿う方向へと拡散しないようになっている。
【００２９】
また、楔状凹シボ(20)は、非出光面(12d)にて入光面(12a)に直交する方向に２００μｍ以下のピッチで連続して、より好適には図１および図４に示すようにピッチを設けずに楔状凹シボ(20)の斜面(20a)と隣接する楔状凹シボ(20)の対向斜面(20b)とが連接するようにして設けられている。
【００３０】
さらに、楔状凹シボ(20)の斜面(20a)および(20b)の幅、すなわち楔状凹シボ(20)の入光面(12a)(或いは反射側端面(20b))に沿う方向の幅(W)は、入光面(12a)から離間するに従って５０μｍ〜２００μｍの範囲にて漸増するように設けられている(図４参照)。このため、入光面(12a)側から反射側端面(12b)側に向けて非出光面(12d)単位面積当たりのシボ密度が粗から密へと変化するようなグラデーションパターンが形成され、これにより、光源(14)からの距離にかかわらず出光面(12c)全体にて均一の輝度で光を出光させることができる。
【００３１】
また、端面(20c)の幅、すなわち楔状凹シボ(20)の奥行き(D)は、５０μｍ前後に形成されている。このため、前述した幅(W)と相俟って出光面(12c)側から楔状凹シボ(20)が目視では視認できないサイズとなっている。
【００３２】
レンチキュラーレンズ部(22)は、入光面(12a)に直交する方向に複数本の平行な母線が延びるように出光面(12c)の表面に設けられた、曲率半径(R)が３０μｍ以上で且つ幅(P)が５００μｍ以下の断面円弧状の部分で(図１および図５参照)、出光面(12c)より出光する光を出光面(12c)正面の視認方向に偏った配光分布となるように集光するためのものである。なお、このレンチキュラーレンズ部(22)は、断面円弧状の最大傾斜角θ3(すなわち、円または楕円形状の接線と出光面(12c)平面とがなす角度)が３０°以下で且つ幅(P)を５０μｍ以下とするのが特に好適である。レンチキュラーレンズ部(22)をこのような範囲とすることによって、出光面(12c)より出光する光の面上輝度を低下させることなく、好適な配光分布となるように集光できるからである。
【００３３】
以上のように構成された導光板(12)には、入光面(12a)に沿って光源(14)が配置され、また、この光源(14)を覆うようにしてリフレクタ(16)が配設されている。さらに、非出光面(12c)に沿って反射板(18)が配置されており、反射側端面(12b)には反射シート(24)が配置されている。
【００３４】
光源(14)は、入光面(12a)の全面に対して光を照射するためのものであり、この実施例では、各入光面(12a)に対応してそれぞれ１本の冷陰極放電管が光源(14)として配置される。光源(14)の出力は、光の最大到達距離が光源(14)から反射側端面(12b)までの距離とほぼ等しくなるように設定されている。これにより光の無駄がなくなり、光が効率よく利用され得る。なお、光源(14)として冷陰極放電管の他に、蛍光灯、ハロゲンランプ或いはＬＥＤ等を用いるようにしてもよい。
【００３５】
リフレクタ(16)は、光源(14)からの光を反射して入光面(12a)に導くためのものであり、金属箔等のような正反射部材または白色ＰＥＴフィルム等のような乱反射部材を半円筒状に形成したものである。
【００３６】
反射板(18)および反射シート(24)は、導光板(12)から漏れ出た光を導光板(12)側へ反射させるためのものであり、上述したリフレクタ(16)と同様に正反射部材または乱反射部材により形成されている。
【００３７】
続いて、本実施例の面型照明装置(10)の作用について説明する。図示しない液晶表示装置の背面に面型照明装置(10)を配置して光源(14)を点灯すると、光源(14)からの光は、直接またはリフレクタ(16)を介して入光面(12a)から導光板(12)内に入光する。入光した光の一部は直接出光面(12c)から出光し、残部は反射側端面(12b)に向かって次第に幅狭となる出光面(12c)と非出光面(12d)との間を反射しながら進んでいく。
【００３８】
ここで、出向面(12c)に対して水平に導波する光は、楔状凹シボ(20)の入光面(12a)側の斜面(20a)によって反射され、出向面(12c)に対して略垂直に入射する光となって出向面(12c)から液晶表示装置に向けて出光する。
【００３９】
また、楔状凹シボ(20)の入光面(12a)側の斜面(20a)に対して臨界角度より小さい角度で入射した光の一部は、斜面(20a)を透過して外部へ出射されるが、反射板(18)により反射されて再び導光板(12)内へと戻される。一方、斜面(20a)に対して臨界角度より小さい角度で入射して斜面(20a)を透過し、然る後、対向斜面(20b)に向かった光は、出光面(12c)に対して水平となるように屈折しながら対向斜面(20b)から再び導光板(12)内へと戻り、隣接する楔状凹シボ(20)の入光面(12a)側の斜面(20a)によって出向面(12c)に対して略垂直に入射するように反射され、出向面(12c)から液晶表示装置に向けて出光する。
【００４０】
そして、出光面(12c)から出光する光は、レンチキュラーレンズ部(22)を通る際、図６に示すように、出光面(12c)正面の視認方向に偏った配光分布となるよう方向修正された後、液晶表示パネルに照射される。なお、図６(b)のグラフにおいて、実線で示したものがレンチキュラーレンズ部(22)のみを透過させた本実施例の視野角と輝度との関係を表したものであり、波線で示したものが後述する光拡散シート(26)を更に設けたものである。
【００４１】
本実施例によれば、楔状凹シボ(20)が入光面(12a)に直交する方向に連続して設けられているので、非出光面(12d)に対して臨界角度より大きな角度で光が導波したとしても、この光が非出光面(12d)によって全反射されることはない。従って、出光面(12c)から出光する光が出光面(4)に沿うように屈折することはない。この点について更に述べると、非出光面(12d)に対して臨界角度より大きな角度で導波する光が楔状凹シボ(20)の斜面(20a)に入射する際、斜面(20a)における入射角度は臨界角度よりも小さなものとなる。このため、当該光が楔状凹シボ(20)の斜面(20a)を透過した後、その一部は対向斜面(20b)から再び導光板(12)の内部へと戻され、隣接する楔状凹シボ(20)の斜面(20a)によって出光面(12c)に対して略垂直に入射するよう反射される。このように、非出光面(12d)側で反射される光は、非出光面(12d)で全反射されるものとは異なることから、出光面(4)から出光する光が出光面(12c)に沿うように屈折して出光面(4)正面における輝度が低下するのを防止することができる。
【００４２】
また、出光面(12c)より照射される光は、断面が円弧状に形成されたレンチキュラーレンズ部(22)の集光効果によって、出光面(12c)正面の視認方向に偏った配光分布となるよう調整されるが、この時、楔状凹シボ(20)によって出光面(12c)に対して略垂直に入射するように反射された光もレンチキュラーレンズ部(22)によって回帰することなく出光面(12c)から照射される。したがって、楔状凹シボ(20)により出光面(12c)に対して略垂直となるように反射された光が導光板(12)内で回帰を繰り返すことによって減衰するのを防止することができる。
【００４３】
さらに、楔状凹シボ(20)の入光面(12a)に沿う方向の幅が、入光面(12a)から離間するに従って漸増するように設けられているため、入光面(12a)側から反射側端面(12b)側に向けて非出光面(12d)単位面積当たりのシボ密度が粗から密へと変化し、光源(14)からの距離にかかわらず出光面(12c)全体にて均一の輝度で光を出光させることができる。
【００４４】
なお、上述の例では、隣接する楔状凹シボ(20)の入光面(12a)側の斜面(20a)と反射側端面(12b)側の対向斜面(20b)とが連接するようにして設けた場合を示したが、隣接する楔状凹シボ(20)の斜面(20a)と対向斜面(20b)との間に２００μｍ以下のピッチを設けるようにしてもよい。この場合でも本実施例と同様の効果を奏することができる。
【００４５】
また、図示しないが、楔状凹シボ(20)の複数個を１群のドットとし、前記ドットが導光板(12)の非出光面(12d)における所定の位置に局在するようにしてもよい。楔状凹シボ(20)をこのように構成することによって、導光板(12)の入光側から反入光側に至るまでの楔状凹シボ(20)グラデーションパターンの設計自由度を向上させることができ、導光距離が長い大型の導光板(12)でも均斉度の高い面状の光を出光させることができる。
【００４６】
次に、図７に示す第２実施例の面型照明装置(11)について説明する。上述した第１実施例の面型照明装置(10)と異なる部分は、導光板(12)の出光面(12c)に沿って光拡散シート(26)を配設した点である。なお、これら以外の部分は前述した第１実施例と同じであるので、前記第１実施例の説明を援用して本実施例の説明に代える。
【００４７】
光拡散シート(26)は、ポリエステルなどの透明樹脂に無機微粒子,顔料又は光散乱樹脂の粒子などを内添或いは外添したシート状の部材で、レンチキュラーレンズ部(22)によって集光された光の指向性を緩和するものである。
【００４８】
以上のように構成された本実施例の面型照明装置(11)では、導光板(12)へ入射された光が出光面(12c)から出光する際、レンチキュラーレンズ部(22)によって所定の一方向に集光される。ここで、レンチキュラーレンズ部(22)によって集光された光は輝度が向上するが狭視野角のものとなる。従って、レンチキュラーレンズ部(22)を透過した光を光拡散シート(26)に導通させることによって、上述のように高輝度且つ狭視野角となった光の指向性を緩和でき、これにより、面型照明装置(11)から照射される光の外観、品位を高めることができる。
【図面の簡単な説明】
【００４９】
【図１】本発明の一実施例の面型照明装置を示す斜視図である。
【図２】図１におけるＩ−Ｉ線断面図である。
【図３】本発明の一実施例の面型照明装置における光の導波方向を示す説明図である。
【図４】図１におけるII−II線断面図である。
【図５】図１におけるIII−III線断面図である。
【図６】本発明の一実施例の面型照明装置における視野角と輝度との関係を表したグラフである。
【図７】本発明における他の実施例の面型照明装置を示す斜視図である。
【図８】従来のプリズムシートレス導光板を示す説明図である。
【符号の説明】
【００５０】
(10),(11)…面型照明装置
(12)…導光板
(12a)…入光面
(12b)…反射側端面
(12c)…出光面
(12d)…非出光面
(14)…光源
(16)…リフレクタ
(18)…反射板
(20)…楔状凹シボ
(20a)…(入光面(12a)側の)斜面
(20b)…(反射側端面(12b)側の)斜面
(22)…レンチキュラーレンズ部
(24)…反射シート
(26)…光拡散シート
【図１】
2006040710.tif 000003
【図２】
2006040710.tif 000004
【図３】
2006040710.tif 000005
【図４】
2006040710.tif 000006
【図５】
2006040710.tif 000007
【図６】
2006040710.tif 000008
【図７】
2006040710.tif 000009
【図８】
2006040710.tif 000010